(57)【要約】      （修正有）【課題】アンカーボルトが台座のアンカーボルト挿通用孔内のいかなる位置であっても、構造物等を正しい位置に強固に固定することができるアンカーボルト用固定装置を提供する。【解決手段】アンカーボルト用固定装置Ｐは、台座Ａと第１座金Ｃと第２座金Ｄとから構成され、前記台座Ａにはアンカーボルト挿通用孔Ａ１が設けられ、第１座金Ｃには、その裏面に台座嵌合用円形凸部Ｃ１が設けられ、かつ、中央部半円Ｃ４と内接部半円Ｃ６とを連続させた２山半円と、アンカーボルトＢの直径にほぼ等しい直径の円が該中央部半円Ｃ４から該内接部半円Ｃ６まで移動した軌跡により形成される軌跡線Ｃ８とで囲まれるアンカーボルト移動用孔Ｃ２が設けられ、第２座金Ｄには、その裏面に、前記Ｃ２に嵌合する第１座金嵌合用円形凸部Ｄ１が設けられ、かつ、アンカーボルト貫通孔Ｄ２が該第１座金嵌合用円形凸部Ｄ１の一部を残して設けられている。【選択図】図１
2006153061.tif 000002
【特許請求の範囲】
【請求項１】
台座と第１座金と第２座金とから構成されるアンカーボルト用固定装置であって、
前記台座には、アンカーボルトの直径より大きいアンカーボルト挿通用孔が設けられ、
第１座金には、その裏面に、前記アンカーボルト挿通用孔に嵌合して回転可能な台座嵌合用円形凸部が設けられ、かつ、該台座嵌合用円形凸部において、該台座嵌合用円形凸部と同心のアンカーボルトの直径にほぼ等しい直径の中央部半円と該中央部半円の弦と同一直線上の弦を有する該台座嵌合用円形凸部に内接するアンカーボルトの直径にほぼ等しい直径の内接部半円とを連続させた２山半円と、該中央部半円と該内接部半円との連続部に接しながらアンカーボルトの直径にほぼ等しい直径の円が該中央部半円の円弧側とは逆方向に該中央部半円から該内接部半円まで移動した軌跡により形成される軌跡線とで囲まれる形状であって、アンカーボルトが挿通可能なアンカーボルト移動用孔が設けられ、
第２座金には、その裏面に、前記アンカーボルト移動用孔に嵌合し、アンカーボルトの直径にほぼ等しい直径の第１座金嵌合用円形凸部が設けられ、かつ、アンカーボルトが挿通可能なアンカーボルトの直径にほぼ等しい直径のアンカーボルト貫通孔が少なくとも該第１座金嵌合用円形凸部の一部を残して設けられてなることを特徴とするアンカーボルト用固定装置。
【請求項２】
台座に設けたアンカーボルト挿通用孔が、台座嵌合用円形凸部と同径の円形であることを特徴とする請求項１に記載のアンカーボルト用固定装置。
【請求項３】
台座に設けたアンカーボルト挿通用孔が、台座嵌合用円形凸部の直径と縦横の長さが同一である角丸の正方形であり、第１座金に設けたアンカーボルト移動用孔に、該アンカーボルト移動用孔からアンカーボルトが移動可能なアンカーボルトの直径にほぼ等しい直径の延長孔部が内接部半円側の外方に設けられてなることを特徴とする請求項１に記載のアンカーボルト用固定装置。
【請求項４】
アンカーボルトを固定するために使用される第１座金であって、
該第１座金は、その裏面に、台座嵌合用円形凸部が設けられ、かつ、
該台座嵌合用円形凸部において、該台座嵌合用円形凸部と同心のアンカーボルトの直径にほぼ等しい直径の中央部半円と該中央部半円の弦と同一直線上の弦を有する該台座嵌合用円形凸部に内接するアンカーボルトの直径にほぼ等しい直径の内接部半円とを連続させた２山半円と、該中央部半円と該内接部半円との連続部に接しながらアンカーボルトの直径にほぼ等しい直径の円が該中央部半円の円弧側とは逆方向に該中央部半円から該内接部半円まで移動した軌跡により形成される軌跡線とで囲まれる形状であり、アンカーボルトが挿通可能なアンカーボルト移動用孔が設けられてなることを特徴とする第１座金。
【請求項５】
アンカーボルトを固定するために使用される第２座金であって、
該第２座金は、その裏面に、アンカーボルトの直径にほぼ等しい直径の第１座金嵌合用円形凸部が設けられ、かつ、
アンカーボルトが挿通可能なアンカーボルトの直径にほぼ等しい直径のアンカーボルト貫通孔が少なくとも該第１座金嵌合用円形凸部の一部を残して設けられてなることを特徴とする第２座金。
【発明の詳細な説明】
【技術分野】
【０００１】
本発明は、コンクリートに埋設すること等により固定された、いわゆるアンカーボルトに対し、アンカーボルト挿通用孔を有する構造物等をナットにより固定する場合に使用するアンカーボルト用固定装置に関する。
【背景技術】
【０００２】
特許文献１には、アンカーボルトの位置が正確でなくても、アンカーボルトにより固定されるべき構造物を正しい位置に強固に固定することができることを目的として、台座のアンカーボルト挿通用孔を大きく形成し、中心部又は偏心した位置にアンカーボルトに嵌合する貫通孔を設けた座金を介して構造物を固定するようにした構成が示されている。
【０００３】
特許文献２には、台座に設けた大きなアンカーボルト挿通用孔に対して先打ちしたアンカーボルトの位置が大巾にずれても容易に取り付けることができる座金を提供することを目的として、下面に突起部をそれぞれ形成し、中心より偏心した透孔をそれぞれ設けた大小二枚一組の下側座金と上側座金を回転可能に重合した座金の構成が示されている。
【０００４】
特許文献３には、アンカーボルトが基準位置から偏心した場合であってもアンカーボルトにより固定されるべき構造物を所望の位置に固定することができ、且つ強度低下、工数増加を伴うことがない座金を提供することを目的として、台座における座金受入孔に嵌まり込む円形凸状の嵌込調整部と、台座のナット締付面側において座金受入孔の外周部位を押さえる係止フランジ部とを有し、嵌込調整部に対しては、偏心位置が異なるようにアンカーボルト孔を、係止フランジ部を貫通するようにして形成した座金が開発された。
【特許文献１】特開昭６２−２９６０３５
【特許文献２】特開平６−７４２２７
【特許文献３】特開２０００−１１０２４０
【発明の開示】
【発明が解決しようとする課題】
【０００５】
しかしながら、特許文献１に示す座金により、その目的を達成するためには、中心部に貫通孔を設けた座金、やや偏心した位置に貫通孔を設けた座金、大きく偏心した位置に貫通孔を設けた座金等、複数種類の座金を準備しておく必要がある。このような不便を解消するために、特許文献２に示すアンカーボルト用の座金が開発された。
【０００６】
しかしながら、特許文献２に示すアンカーボルト用の座金では、台座に対して大きな横力が作用すると座金が回転するので、アンカーボルトに対して台座と共にアンカーボルトにより固定されるべき構造物がずれ動いてしまう不具合があった。
【０００７】
また、特許文献３に示すアンカーボルトの固定用の座金においては、アンカーボルトの偏心量が許容値を越える場合には、別の許容値の座金を準備しておく必要があり、台座に対して大きな横力が作用すると、座金が回転するので、前記特許文献１における不便及び特許文献２における不具合を解消するには至っていない。
【０００８】
そこで本発明者は、２枚１組の座金を使用することにより、アンカーボルトが台座のアンカーボルト挿通用孔内のいかなる位置であっても、アンカーボルトがアンカーボルト挿通用孔に挿通し易くし、かつ、アンカーボルトにより固定された構造物等に外力が働いても、構造物等がアンカーボルトに対してずれるのを極力防止した構造を備えるアンカーボルト用固定装置を開発した。
【課題を解決するための手段】
【０００９】
本発明に係るアンカーボルト用固定装置は、台座と第１座金と第２座金とから構成され、前記台座には、アンカーボルトの直径より大きいアンカーボルト挿通用孔が設けられ、第１座金には、その裏面に、前記アンカーボルト挿通用孔に嵌合して回転可能な台座嵌合用円形凸部が設けられ、かつ、該台座嵌合用円形凸部において、該台座嵌合用円形凸部と同心のアンカーボルトの直径にほぼ等しい直径の中央部半円と該中央部半円の弦と同一直線上の弦を有する該台座嵌合用円形凸部に内接するアンカーボルトの直径にほぼ等しい直径の内接部半円とを連続させた２山半円と、該中央部半円と該内接部半円との連続部に接しながらアンカーボルトの直径にほぼ等しい直径の円が該中央部半円の円弧側とは逆方向に該中央部半円から該内接部半円まで移動した軌跡により形成される軌跡線とで囲まれる形状であって、アンカーボルトが挿通可能なアンカーボルト移動用孔が設けられ、第２座金には、その裏面に、前記アンカーボルト移動用孔に嵌合し、アンカーボルトの直径にほぼ等しい直径の第１座金嵌合用円形凸部が設けられ、かつ、アンカーボルトが挿通可能なアンカーボルトの直径にほぼ等しい直径のアンカーボルト貫通孔が少なくとも該第１座金嵌合用円形凸部の一部を残して設けられてなることを特徴とするものである。
【００１０】
上記のように構成したことにより、台座に設けたアンカーボルト挿通用孔がアンカーボルトの直径より大きいので、アンカーボルト挿通用孔の範囲内であれば、アンカーボルトの埋設位置と台座のアンカーボルト挿通用孔とが少々ずれていても、アンカーボルトに台座のアンカーボルト挿通用孔を挿通することができ、したがってアンカーボルトに台座を容易に嵌め込むことができる。
【００１１】
また、第１座金は、その裏面に設けた台座嵌合用円形凸部が、前記アンカーボルト挿通用孔に回転可能に嵌合するので、第１座金を台座に対して回転させると、台座嵌合用円形凸部に設けたアンカーボルト移動用孔をアンカーボルト挿通用孔内において回転させることができる。
【００１２】
しかも、アンカーボルト移動用孔は、該台座嵌合用円形凸部と同心のアンカーボルトの直径にほぼ等しい直径の中央部半円と該中央部半円の弦と同一直線上の弦を有する該台座嵌合用円形凸部に内接するアンカーボルトの直径にほぼ等しい直径の内接部半円とを連続させた２山半円と、該中央部半円と該内接部半円との連続部に接しながらアンカーボルトの直径にほぼ等しい直径の円が該中央部半円の円弧側とは逆方向に該中央部半円から該内接部半円まで移動した軌跡により形成される軌跡線とで囲まれ、アンカーボルトが挿通可能に形成されているので、アンカーボルト移動用孔内における台座嵌合用円形凸部と同心の中央部半円から台座嵌合用円形凸部に内接する内接部半円までのいずれの位置においても、アンカーボルトを挿通させることが可能である。
【００１３】
したがって、アンカーボルト挿通用孔に挿通したアンカーボルトは、アンカーボルト挿通用孔に対していかなる位置であっても、前記第１座金を適宜回転させることにより、アンカーボルト移動用孔に挿通させて、台座嵌合用円形凸部をアンカーボルト挿通用孔に嵌合させることができる。
【００１４】
なお、上記したアンカーボルト用固定装置において、台座に設けたアンカーボルト挿通用孔が、台座嵌合用円形凸部と同径の円形である構成とするのが望ましい。
【００１５】
さらに、第２座金は、そのアンカーボルト貫通孔にアンカーボルトを挿通することが可能であり、アンカーボルトを挿通した状態において、第２座金の裏面に設けた第１座金嵌合用円形凸部を前記アンカーボルト移動用孔に嵌合させることができる。したがって、アンカーボルトを台座のアンカーボルト挿通用孔に挿通し、そして、アンカーボルトを第１座金のアンカーボルト移動用孔に挿通して第１座金の台座嵌合用円形凸部をアンカーボルト挿通用孔に嵌合させた状態において、第２座金のアンカーボルト貫通孔にアンカーボルトを挿通し、アンカーボルト移動用孔に第１座金嵌合用円形凸部を嵌合させることができ、その後、所定のナットをアンカーボルトの先端から螺合して締めれば、アンカーボルトに台座が固定されることとなる。
【００１６】
また、上記したアンカーボルト用固定装置において、台座に設けたアンカーボルト挿通用孔が、台座嵌合用円形凸部の直径と縦横の長さが同一である角丸の正方形であり、第１座金に設けたアンカーボルト移動用孔に、該アンカーボルト移動用孔からアンカーボルトが移動可能なアンカーボルトの直径にほぼ等しい直径の延長孔部が内接部半円側の外方に設けられてなる構成としてもよい。この場合には、アンカーボルト移動用孔内における台座嵌合用円形凸部と同心の中央部半円から台座嵌合用円形凸部に内接する内接部半円を越えて延長孔部までのいずれの位置においても、アンカーボルトを挿通させることが可能である。したがって、アンカーボルト挿通用孔に挿通したアンカーボルトは、アンカーボルト挿通用孔に対していかなる位置であっても、前記第１座金を適宜回転させることにより、アンカーボルト移動用孔又は延長孔部に挿通させて、台座嵌合用円形凸部をアンカーボルト挿通用孔に嵌合させることができる。また、第２座金は、アンカーボルトを挿通した状態において、第２座金の裏面に設けた第１座金嵌合用円形凸部を前記アンカーボルト移動用孔又は延長孔部に嵌合させることができる。したがって、アンカーボルトを台座のアンカーボルト挿通用孔に挿通し、そして、アンカーボルトを第１座金のアンカーボルト移動用孔又は延長孔部に挿通して第１座金の台座嵌合用円形凸部をアンカーボルト挿通用孔に嵌合させた状態において、第２座金のアンカーボルト貫通孔にアンカーボルトを挿通し、アンカーボルト移動用孔又は延長孔部に第１座金嵌合用円形凸部を嵌合させることができ、その後、所定のナットをアンカーボルトの先端から螺合して締めれば、アンカーボルトに台座が固定されることとなる。
【００１７】
上記したようにアンカーボルトに台座が固定された状態においては、台座に対して横方向から力が加わっても、第１座金嵌合用円形凸部がアンカーボルトに対する台座の動きを規制する役割を果たす。以下に、アンカーボルトとアンカーボルト挿通用孔との位置を異ならしめた４種類の場合において、前記第２座金を使用しない場合と使用する場合とを比較して第１座金嵌合用円形凸部がアンカーボルトに対する台座の動きを規制する役割を果たすことを証明する。
【００１８】
図８は、第２座金を使用しない場合であって、円形のアンカーボルト挿通孔を形成した台座Ａを、固定されているアンカーボルトＢに嵌め込み、該台座に第１座金Ｃを嵌め込んだ状態の説明図であり、図８（ａ）はアンカーボルトＢがアンカーボルト挿通孔の中心に位置するときの図であり、図８（ｂ）はアンカーボルトＢがアンカーボルト挿通孔の中心より約３分の１だけ左に偏心したときの図であり、図８（ｃ）はアンカーボルトＢがアンカーボルト挿通孔の中心より約３分の２だけ左に偏心したときの図であり、図８（ｄ）はアンカーボルトＢがアンカーボルト挿通孔に内接する位置に達したときの図である。
【００１９】
図８（ａ）において、矢符ａ１、ａ４の方向に力が作用したときには、それぞれの方向において第１座金ＣとアンカーボルトＢとの間に隙間がないので第１座金Ｃは動けず、したがって台座Ａも動かない。矢符ａ２の方向に力が作用したときには、その方向において第１座金ＣとアンカーボルトＢとの間に第１座金Ｃが移動し得る隙間Ｓがあるため、この隙間Ｓによって第１座金Ｃは移動しながら回転し始めるので、台座Ａがずれ動くことになる。矢符ａ３の方向に力が作用したときには、突起状の連続部Ｃ９が障害となって第１座金Ｃが動けないので台座Ａも動かない。
【００２０】
図８（ｂ）において、矢符ｂ１、ｂ２、ｂ３、ｂ４の各方向に力が作用したときには、それぞれの方向において第１座金ＣとアンカーボルトＢとの間に第１座金Ｃが移動し得る隙間Ｓがあるため、この隙間Ｓによって第１座金Ｃは移動しながら回転し始めるので、台座Ａがずれ動く。
【００２１】
図８（ｃ）において、矢符ｃ１、ｃ２、ｃ３、ｃ４の各方向に力が作用したときには、それぞれの方向において第１座金ＣとアンカーボルトＢとの間に第１座金Ｃが移動し得る隙間Ｓがあるため、この隙間によって第１座金Ｃは移動しながら回転し始めるので、台座Ａがずれ動く。
【００２２】
図８（ｄ）において、矢符ｄ１の方向に力が作用したときには、突起状の連続部Ｃ９が障害となって第１座金Ｃが動けないので台座Ａも動かない。矢符ｄ２の方向に力が作用したときには、その方向において第１座金ＣとアンカーボルトＢとの間に第１座金Ｃが移動し得る隙間Ｓがあるため、この隙間Ｓによって第１座金Ｃは移動しながら回転し始めるので、台座Ａがずれ動くこととなる。矢符ｄ３、ａ４の方向に力が作用したときには、それぞれの方向において第１座金ＣとアンカーボルトＢとの間に隙間がないので第１座金Ｃは動けず、したがって台座Ａも動かない。
【００２３】
上記したように、第２座金を使用しない場合は、横方向からの力が作用すると、台座Ａがずれ動くおそれが高いことが理解できる。
【００２４】
図９は、第２座金を使用する場合であって、円形のアンカーボルト挿通孔を形成した台座Ａを、固定されているアンカーボルトＢに嵌め込んで該台座Ａに第１座金Ｃを嵌め込み、該第１座金Ｃに第２座金を嵌め込んだ状態の説明図であり、図中Ｄ１は、第２座金の第１座金嵌合用円形凸部である。図９（ａ）はアンカーボルトＢがアンカーボルト挿通孔の中心に位置するときの図であり、図９（ｂ）はアンカーボルトＢがアンカーボルト挿通孔の中心より約３分の１だけ左に偏心したときの図であり、図９（ｃ）はアンカーボルトＢがアンカーボルト挿通孔の中心より約３分の２だけ左に偏心したときの図であり、図９（ｄ）はアンカーボルトＢがアンカーボルト挿通孔に内接する位置に達したときの図である。
【００２５】
図９（ａ）において、矢符ａ１、ａ４の方向に力が作用したときには、それぞれの方向において第１座金ＣとアンカーボルトＢとの間に隙間がないので第１座金Ｃは動けず、したがって台座Ａも動かない。矢符ａ２の方向に力が作用したときには、その方向において第１座金嵌合用円形凸部Ｄ１がアンカーボルト移動用孔に挟まった状態となって第１座金Ｃが動けず、したがって台座Ａも動かない。矢符ａ３の方向に力が作用したときには、突起状の連続部Ｃ９が障害となって第１座金Ｃが動けないので台座Ａも動かない。
【００２６】
図９（ｂ）において、矢符ｂ１、ｂ３の方向に力が作用したときには、その方向において第１座金ＣとアンカーボルトＢとの間に隙間Ｓがあるが、この隙間Ｓによって第１座金Ｃは移動しようとしても、アンカーボルトＢとこれに隣接する第１座金嵌合用円形凸部Ｄ１の双方を共にアンカーボルト移動用孔をスムーズに通過させることが困難であるため、第１座金Ｃが動けず、したがって台座Ａも動かない。なお、このようにアンカーボルトＢとこれに隣接する第１座金嵌合用円形凸部Ｄ１がアンカーボルト移動用孔をスムーズに通過しない理由は、アンカーボルト移動用孔が湾曲しているために、アンカーボルト移動用孔にアンカーボルトＢを通過させる作用力の方向と第１座金嵌合用凸部Ｄ１がアンカーボルト移動用孔を通過すべき方向とが異なることにある。換言すれば、アンカーボルト移動用孔が湾曲しているので、アンカーボルト移動用孔におけるアンカーボルトＢの進行方向と第１座金嵌合用凸部Ｄ１の進行方向とが異なるためである。矢符ｂ２、ｂ４の方向に力が作用したときには、その方向において第１座金Ｃと第１座金嵌合用円形凸部Ｄ１とがアンカーボルト移動用孔に挟まった状態となって第１座金Ｃが動けず、したがって台座Ａも動かない。
【００２７】
図９（ｃ）において、矢符ｃ１、ｃ３の方向に力が作用したときには、その方向において第１座金ＣとアンカーボルトＢとの間に隙間Ｓがあるが、この隙間Ｓによって第１座金Ｃは移動しようとしても、アンカーボルトＢとこれに隣接する第１座金嵌合用円形凸部Ｄ１の双方を共にアンカーボルト移動用孔をスムーズに通過させることが困難であるため、第１座金Ｃが動けず、したがって台座Ａも動かない。この場合も、アンカーボルト移動用孔におけるアンカーボルトＢの進行方向と第１座金嵌合用凸部Ｄ１の進行方向とが異なっている。矢符ｃ２、ｃ４の方向に力が作用したときには、その方向において第１座金Ｃと第１座金嵌合用円形凸部Ｄ１とがアンカーボルト移動用孔に挟まった状態となって第１座金Ｃが動けず、したがって台座Ａも動かない。
【００２８】
図９（ｄ）において、矢符ｄ１の方向に力が作用したときには、突起状の連続部Ｃ９が障害となって第１座金Ｃが動けないので台座Ａも動かない。矢符ｄ２の方向に力が作用したときには、その方向において第１座金嵌合用円形凸部Ｄ１がアンカーボルト移動用孔に挟まった状態となって第１座金Ｃが動けず、したがって台座Ａも動かない。矢符ｄ３、ｄ４の方向に力が作用したときには、それぞれの方向において第１座金ＣとアンカーボルトＢとの間に隙間がないので第１座金Ｃは動けず、したがって台座Ａも動かない。
【００２９】
以上のように、固定されているアンカーボルトＢに対して台座Ａがずれ動く場合には、第１座金Ｃが回転することが必要であるが、上記のように第２座金を使用すると、第２座金に形成した第１座金嵌合用円形凸部Ｄ１がアンカーボルトＢと共に第１座金Ｃのアンカーボルト移動用孔を移動しなければならないところ、アンカーボルト移動用孔におけるアンカーボルトＢの進行方向と第１座金嵌合用凸部の進行方向とが相違するので、第１座金が容易には回転しなくなる。したがって、該第２座金を使用することにより、台座Ａのずれ動きを防止することが可能となる。
【発明の効果】
【００３０】
上記した本発明に係るアンカーボルト用固定装置によれば、２枚１組の座金を使用することにより、アンカーボルトが台座のアンカーボルト挿通用孔内のいかなる位置であっても、アンカーボルトがアンカーボルト挿通用孔に挿通し易くし、かつ、アンカーボルトにより固定された台座に対して外力が働いても、台座がアンカーボルトに対してずれ動くことが極力防止できるので、これにより台座に取り付けられている構造物等を安定して固定することができる。
【発明を実施するための最良の形態】
【００３１】
以下に、添付の図面に基づき、本発明に係るアンカーボルト用固定装置の好適な実施例１及び２について詳述する。
【実施例１】
【００３２】
図１は実施例１に係るアンカーボルト用固定装置の分解斜視図であり、図２は実施例１に係るアンカーボルト用固定装置を組み立てている状態を示す説明図であり、図３は実施例１に係るアンカーボルト用固定装置に使用される第１座金の台座嵌合用凸部側から見た概略図であり、図４は実施例１に係るアンカーボルト用固定装置に使用される第２座金の第１座金嵌合用円形凸部側から見た概略図である。
【００３３】
図１〜図４において、Ｐは本実施例に係るアンカーボルト用固定装置を示し、台座Ａと第１座金Ｃと第２座金Ｄとから構成される。
【００３４】
前記台座Ａには、アンカーボルトＢの直径より大きい円形のアンカーボルト挿通用孔Ａ１が設けられている。なお、本実施例においては、前記アンカーボルトＢの直径を１０ｍｍとし、円形のアンカーボルト層通用孔Ａ１の直径を３４ｍｍとする。
【００３５】
上記のように台座Ａを構成したことにより、台座Ａに設けたアンカーボルト挿通用孔Ａ１が３４ｍｍであり、アンカーボルトＢの直径１０ｍｍより大きいので、アンカーボルト挿通用孔Ａ１の範囲内であれば、アンカーボルトＢの埋設位置と台座Ａのアンカーボルト挿通用孔Ａ１とが少々ずれていても、アンカーボルトＢに台座Ａのアンカーボルト挿通用孔Ａ１を挿通することができるので、アンカーボルトＢに台座Ａを容易に嵌め込むことができる。
【００３６】
第１座金Ｃは、その裏面に、前記アンカーボルト挿通用孔Ａ１に嵌合して回転可能な台座嵌合用円形凸部Ｃ１が設けられている。なお、本実施例においては、前記台座嵌合用円形凸部Ｃ１の直径を３４ｍｍとし、前記アンカーボルト挿通用孔Ａ１に対して回転可能に嵌合するように設計する。
【００３７】
そして、該台座嵌合用円形凸部Ｃ１には、図３に詳細に示すように、アンカーボルトＢが挿通可能なアンカーボルト移動用孔Ｃ２が設けられており、該アンカーボルト移動用孔Ｃ２は、以下に説明する２山半円Ｃ３と軌跡線Ｃ８とで囲まれる形状の孔である。すなわち、該２山半円Ｃ３は、該台座嵌合用円形凸部Ｃ１と円の中心を同じくする同心のアンカーボルトＢが挿通可能で、アンカーボルトＢの直径にほぼ等しい直径１０ｍｍの中央部半円Ｃ４と、該中央部半円Ｃ４の弦Ｃ５と同一直線上の弦Ｃ７を有する該台座嵌合用円形凸部Ｃ１に内接するアンカーボルトＢの直径にほぼ等しい直径１０ｍｍの内接部半円Ｃ６とを連続させて形成される２山半円の曲線である。軌跡線Ｃ８は、前記２山半円Ｃ３における中央部半円Ｃ４と該内接部半円Ｃ６との連続部Ｃ９に接しながらアンカーボルトＢの直径にほぼ等しい直径１０ｍｍの円が該中央部半円Ｃ４の円弧側とは逆方向に該中央部半円Ｃ４から該内接部半円Ｃ６まで移動した軌跡により形成される曲線である。内接部半円Ｃ６の直径と連続部Ｃ９の幅と中央部半円Ｃ４の半径との和がアンカーボルト挿通用孔の半径と等しくなるので、実施例１における連続部Ｃ９の幅は約２ｍｍとなる。
【００３８】
上記のように第１座金Ｃを構成したことにより、第１座金Ｃは、その裏面に設けた台座嵌合用円形凸部Ｃ１が、前記アンカーボルト挿通用孔Ａ１に回転可能に嵌合する。そして、第１座金Ｃを台座Ａに対して回転させると、台座嵌合用円形凸部Ｃ１に設けたアンカーボルト移動用孔Ｃ２をアンカーボルト挿通用孔Ａ１内において回転させることができる。また、アンカーボルト移動用孔Ｃ２は、その内部における中央部半円Ｃ４から内接部半円Ｃ６までのいずれの位置においてもアンカーボルトＢを挿通させることが可能である。したがって、アンカーボルト挿通用孔Ａ１に挿通したアンカーボルトＢは、該アンカーボルトＢがアンカーボルト挿通用孔Ａ１に対していかなる位置であっても、前記第１座金Ｃを適宜回転させることにより、アンカーボルト移動用孔Ｃ２に挿通することができ、台座嵌合用円形凸部Ｃ１をアンカーボルト挿通用孔Ａ１に嵌合させることができる。
【００３９】
第２座金Ｄは、図４に詳細に示すように、その裏面に、前記アンカーボルト移動用孔Ｃ２に嵌合し、アンカーボルトＢの直径にほぼ等しい直径１０ｍｍの第１座金嵌合用円形凸部Ｄ１が設けられている。また、第２座金Ｄには、少なくとも該第１座金嵌合用円形凸部Ｄ１の一部を残して、アンカーボルトＢが挿通可能なアンカーボルトＢの直径にほぼ等しい直径１０ｍｍのアンカーボルト貫通孔Ｄ２が設けられている。なお、アンカーボルトＢが第１座金Ｃにおけるアンカーボルト移動用孔Ｃ２内のどのような位置であっても、第２座金Ｄにおける第１座金嵌合用円形凸部Ｄ１の位置を変えることにより、アンカーボルト移動用孔Ｃ２に第２座金Ｄに嵌合させることができる。すなわち、第１座金Ｃにおけるアンカーボルト移動用孔Ｃ２に対してアンカーボルトＢが右側寄りに位置するときには、第１座金嵌合用円形凸部Ｄ１はアンカーボルトＢの左側に位置させて、アンカーボルト移動用孔Ｃ２に第２座金Ｄに嵌合させ、逆に第１座金Ｃにおけるアンカーボルト移動用孔Ｃ２に対してアンカーボルトＢが左側寄りに位置するときには、第１座金嵌合用円形凸部Ｄ１はアンカーボルトＢの右側に位置させて、アンカーボルト移動用孔Ｃ２に第２座金Ｄに嵌合させることができる。
【００４０】
このように第２座金Ｄを構成したことにより、第２座金Ｄに形成したアンカーボルト貫通孔Ｄ２にアンカーボルトＢを挿通することが可能であり、アンカーボルトＢを挿通した状態において、第２座金Ｄの裏面に設けた第１座金嵌合用円形凸部Ｄ１を前記アンカーボルト移動用孔Ｃ２に嵌合させることができる。したがって、アンカーボルトＢを台座Ａのアンカーボルト挿通用孔Ａ１に挿通し、第１座金Ｃの台座嵌合用円形凸部Ｃ１をアンカーボルト挿通用孔Ａ１に嵌合させることにより台座Ａに第１座金Ｃを組み合わせた状態において、第２座金Ｄのアンカーボルト貫通孔Ｄ２にアンカーボルトＢを挿通して、アンカーボルト移動用孔Ｃ２に第１座金嵌合用円形凸部Ｄ１を嵌合させることにより、第１座金Ｃに第２座金Ｄを組み合わせることができ、その後、所定のナットＥをアンカーボルトＢの先端から螺合して締めれば、アンカーボルトＢに台座Ａが固定される。
【００４１】
以上のように実施例１に示すアンカーボルト用固定装置Ｐを構成したことにより、課題を解決するための手段においてその理由を述べたように、アンカーボルトＢがアンカーボルト挿通用孔Ａ１に対していかなる位置に挿通されても、第２座金Ｄに形成した第１座金嵌合用円形凸部Ｄ１が第１座金Ｃの回転を阻止するので、台座Ａに対して横方向のいかなる力が作用しても、台座Ａのずれ動きを防止することができる。したがって、このアンカーボルト用固定装置Ｐを使用すれば、台座Ａと一体に組み合わされている構造体等に力が加わっても、構造体等がずれ動くことを防止できる。
【００４２】
なお、実施例１において寸法を特定したのは、理解を助けるためだけのもので、これに限られるものではない。また、第１座金Ｃのアンカーボルト移動用孔Ｃ２は実施例に示したのものと線対称のものでも差し支えがないことはいうまでもない。さらに台座Ａにおけるアンカーボルト挿通用孔Ａ１の形状は実施例１におけるような円形に限らず、次記する実施例２におけるような四角形その他の多角形でもよく、台座嵌合用円形凸部Ｃ１に内接するものが好ましい。さらに、アンカーボルトＢに対する台座Ａのアンカーボルト挿通用孔Ａ１は、実施例１のものに限られるものではなく、アンカーボルトＢの直径とアンカーボルト挿通用孔Ａ１の直径とが１対２．５〜１対４．０の範囲が好ましい。
【００４３】
また、第１座金Ｃと第２座金Ｄとが接触する面に、互いに噛み合う放射状の凹凸状刻み溝を形成すると、台座Ａのずれ動きをより一層防止することができる。さらに、第１座金Ｃと台座Ａと接触する面に、互いに噛み合う放射状の凹凸状刻み溝を形成すると、台座Ａのずれ動きをより一層防止することができる。さらにまた、第１座金Ｃのアンカーボルト移動用孔Ｃ２と第２座金Ｄの第１座金嵌合用円形凸部Ｄ１とが嵌合して接触する面に、互いに噛み合う放射状の凹凸状刻み溝を形成すると、台座Ａのずれ動きをより一層防止することができる。また、第１座金Ｃの台座嵌合用円形凸部Ｃ１と台座Ａのアンカーボルト挿通用孔Ａ１とが嵌合して接触する面に、互いに噛み合う放射状の凹凸状刻み溝を形成すると、台座Ａのずれ動きをより一層防止することができる。
【実施例２】
【００４４】
実施例２は、実施例１における台座Ａと第１座金Ｃの変更例であり、その余の構成は実施例１と同一であるので、実施例２においてはその説明を省略し、実施例１と同一構成のものは実施例１の符号を援用する。
【００４５】
図５は実施例２に係る第１座金の台座嵌合用円形凸部側から見た概略図であり、図６は図５の裏面図であり、図７は実施例２に係る台座に第１座金を嵌め込んだ状態を第１座金の台座嵌合用円形凸部側から見た概略図である。
【００４６】
実施例２における台座Ａ’は、図７に示すように、台座Ａ’に設けたアンカーボルト挿通用孔Ａ１’が、台座嵌合用円形凸部Ｃ１’の直径と縦横の長さが同一である角丸の正方形の形状の構成である。そして、第１座金Ｃ’は、図５及び図６に示すように、第１座金Ｃ’に設けたアンカーボルト移動用孔Ｃ２’に、該アンカーボルト移動用孔Ｃ２’からアンカーボルトＢが移動可能なアンカーボルトＢの直径にほぼ等しい直径の延長孔部Ｃ１０が内接部半円Ｃ６’側の外方に設けられてなる構成である。
【００４７】
上記のように構成すると、アンカーボルト移動用孔Ｃ２’内における台座嵌合用円形凸部Ｃ１’と同心の中央部半円Ｃ４’から台座嵌合用円形凸部Ｃ１’に内接する内接部半円Ｃ６’を越えて延長孔部Ｃ１０までのいずれの位置においても、アンカーボルトＢを挿通させることが可能となる。
【００４８】
したがって、アンカーボルト挿通用孔Ａ１’に挿通したアンカーボルトＢは、アンカーボルト挿通用孔Ａ１’に対していかなる位置であっても、前記第１座金Ｃ’を適宜回転させることにより、アンカーボルト移動用孔Ｃ２’又は延長孔部Ｃ１０に挿通させることができ、台座嵌合用円形凸部Ｃ１’をアンカーボルト挿通用孔Ａ１’に嵌合させることができる。
【００４９】
また、第２座金Ｄは、アンカーボルトＢを挿通した状態において、第２座金Ｄの裏面に設けた第１座金嵌合用円形凸部Ｄ１を前記アンカーボルト移動用孔Ｃ２’又は延長孔部Ｃ１０に嵌合させることができる。そうするとアンカーボルトＢを台座Ａ’のアンカーボルト挿通用孔Ａ１’に挿通し、アンカーボルトＢを第１座金Ｃ’のアンカーボルト移動用孔Ｃ２’又は延長孔部Ｃ１０に挿通して第１座金Ｃ’の台座嵌合用円形凸部Ｃ１’をアンカーボルト挿通用孔Ａ１’に嵌合させた状態において、第２座金Ｄのアンカーボルト貫通孔Ｄ２にアンカーボルトＢを挿通し、アンカーボルト移動用孔Ｃ２’又は延長孔部Ｃ１０に第１座金嵌合用円形凸部Ｄ１を嵌合させることができ、その後、所定のナットＥをアンカーボルトＢの先端から螺合して締めれば、アンカーボルトＢに台座Ａ’が固定される。
【００５０】
以上のように実施例２を構成した場合でも、アンカーボルトＢがアンカーボルト挿通用孔Ａ１’に対していかなる位置に挿通されても、第２座金Ｄに形成した第１座金嵌合用円形凸部Ｄ１が第１座金Ｃ’の回転を阻止するので、台座Ａ’に対して横方向のいかなる力が作用しても、台座Ａ’のずれ動きを防止することができる。したがって、台座Ａ’と一体に組み合わされている構造体等に力が加わっても、構造体等がずれ動くことを防止できる。
【図面の簡単な説明】
【００５１】
【図１】本発明の実施例１に係るアンカーボルト用固定装置の分解斜視図である。
【図２】本発明の実施例１に係るアンカーボルト用固定装置を組み立てている状態を示す説明図である。
【図３】本発明の実施例１に係るアンカーボルト用固定装置に使用される第１座金の台座嵌合用凸部側から見た概略図である。
【図４】本発明の実施例１に係るアンカーボルト用固定装置に使用される第２座金の第１座金嵌合用円形凸部側から見た概略図である。
【図５】本発明の実施例２に係る第１座金の台座嵌合用円形凸部側から見た概略図である。
【図６】図５の裏面図である。
【図７】本発明の実施例２に係る台座に第１座金を嵌め込んだ状態を第１座金の台座嵌合用円形凸部側から見た概略図である。
【図８】第２座金を使用しない場合であって、円形のアンカーボルト挿通孔を形成した台座Ａを、固定されているアンカーボルトＢに嵌め込み、該台座に第１座金Ｃを嵌め込んだ状態の説明図であり、図８（ａ）はアンカーボルトＢがアンカーボルト挿通孔の中心に位置するときの図であり、図８（ｂ）はアンカーボルトＢがアンカーボルト挿通孔の中心より約３分の１だけ左に偏心したときの図であり、図８（ｃ）はアンカーボルトＢがアンカーボルト挿通孔の中心より約３分の２だけ左に偏心したときの図であり、図８（ｄ）はアンカーボルトＢがアンカーボルト挿通孔に内接する位置に達したときの図である。
【図９】第２座金を使用する場合であって、円形のアンカーボルト挿通孔を形成した台座Ａを、固定されているアンカーボルトＢに嵌め込んで該台座Ａに第１座金Ｃを嵌め込み、該第１座金Ｃに第２座金を嵌め込んだ状態の説明図であり、図中Ｄ１は、第２座金の第１座金嵌合用円形凸部である。図９（ａ）はアンカーボルトＢがアンカーボルト挿通孔の中心に位置するときの図であり、図９（ｂ）はアンカーボルトＢがアンカーボルト挿通孔の中心より約３分の１だけ左に偏心したときの図であり、図９（ｃ）はアンカーボルトＢがアンカーボルト挿通孔の中心より約３分の２だけ左に偏心したときの図であり、図９（ｄ）はアンカーボルトＢがアンカーボルト挿通孔に内接する位置に達したときの図である。
【符号の説明】
【００５２】
Ｐ・・・アンカーボルト用固定装置
Ａ・・・台座
Ａ１・・アンカーボルト挿通用孔
Ｂ・・・アンカーボルト
Ｃ・・・第１座金
Ｃ１・・台座嵌合用円形凸部
Ｃ２・・アンカーボルト移動用孔
Ｃ３・・２山半円
Ｃ４・・中央部半円
Ｃ５・・中央部半円の弦
Ｃ６・・内接部半円
Ｃ７・・内接部半円の弦
Ｃ８・・軌跡線
Ｃ９・・連続部
Ｄ・・・第２座金
Ｄ１・・第１座金嵌合用円形凸部
Ｄ２・・アンカーボルト貫通孔
Ｅ・・・ナット
Ｓ・・・隙間
Ａ’・・台座
Ａ１’・アンカーボルト挿通用孔
Ｃ’・・第１座金
Ｃ１’・台座嵌合用円形凸部
Ｃ２’・アンカーボルト移動用孔
Ｃ４’・中央部半円
Ｃ６’・内接部半円
Ｃ１０・延長孔部
【図１】
2006153061.tif 000003
【図２】
2006153061.tif 000004
【図３】
2006153061.tif 000005
【図４】
2006153061.tif 000006
【図５】
2006153061.tif 000007
【図６】
2006153061.tif 000008
【図７】
2006153061.tif 000009
【図８】
2006153061.tif 000010
【図９】
2006153061.tif 000011